(57)【特許請求の範囲】
【請求項１】
板状部材を折り曲げ加工してなるシャッター装置に用いるスラットであって、開口幅方向に延在するスラット本体と、該スラット本体の上端部より内側に向かって前記スラット本体との角度が直角以上の角度で折り曲げられ平面が形成された第１の平坦部と、該第１の平坦部に連続して設けられた係合部と、前記スラット本体の下端部より内側に向かって前記スラット本体との角度が直角以下の角度で折り曲げられ平面が形成された第２の平坦部と、該第２の平坦部に連続して設けられ内部で他のスラットの係合部と係合する係合受部を有し、前記係合部は、前記第１の平坦部の終端から上方へ向けて折り曲げられた立ち上がり部と、該立ち上がり部に続き先端が下方へ向けて折り曲げられ上げ下ろしの際に当該先端が上位のスラットの前記係合受部と当接して回動の支点となる回動支持部を有し、前記第１の平坦部と前記第２の平坦部とが略平行になるように形成されていることを特徴とするスラット。
【請求項２】
請求項１に記載のスラットを複数連接してなり、下位のスラットの前記係合部が上位のスラットの前記係合受部の内部で回動自在に係合し、上げ下ろしの際に前記回動支持部の先端が上位のスラットの前記係合受部と当接して回動の支点となるとともに、シャッターを閉めた状態で、上位のスラットの前記第２の平坦部と、下位のスラットの前記第１の平坦部とが面接触することを特徴とするシャッター装置。
【請求項３】
スラットの少なくとも左右端部の外側面は略平板状であり、ガイドレール案内面あるいはガイドレールに設けられた気密材と前記平板状部が接触することを特徴とする請求項２に記載のシャッター装置。
【発明の詳細な説明】
【技術分野】
【０００１】
本発明は、複数のスラットを連接してなるシャッター装置およびそのスラットに関するものである。
【背景技術】
【０００２】
図７は、一般的なシャッター装置の一例の説明図である。図中、１はシャッター装置、２はシャッターカーテン、３はスラット、４はガイドレール、５は巻き取り部である。一般的なシャッター装置１では、シャッターカーテン２をガイドレール４に従って降下させて開口部を閉め、またシャッターカーテン２を巻き取り部５に巻き取って上昇させることにより開口部を開放する。
【０００３】
シャッターカーテン２は、開口幅方向に延在するスラット３を複数連接して構成されている。その各スラット３の連接部は、巻き取り部５で巻き取られた際に回動可能に構成されている。
【０００４】
図８は、従来のシャッター装置におけるスラットの連接部の一例の説明図である。図８（Ａ）に示した例は従来の防煙シャッターにおけるスラットの連結部の一例を示しており、上位のスラットの下端部に係合受部を、下位のスラットの上端部に係合部を設け、係合部を係合受部内に巻き込むように構成している。これにより、上位のスラットと下位のスラットとは回動自在に連接されることになる。
【０００５】
図８（Ａ）に示したスラットは、通常、屋内に用いられており、連接部は内側へ向けて下がるように構成されている。屋外で使用すると、スラットの連接部から雨水などの水が内部に入り込んでしまうという問題がある。特許文献１の従来技術として類似の構成が記載されているが、上位のスラットと下位のスラットとの間には隙間が生じ、外側に向かって開口している旨が記載されており、雨水などの水が内部へ浸入するという問題を含んでいる。
【０００６】
また、図８（Ｂ）に示すように、下位のスラットの上端部により上位のスラットの下端部を巻き込んだ構造によりスラットの連接を図る構造も考えられている。この構成の場合、下位のスラットの上端部が外側となる。そのため、巻き取り部５に巻き取ったり降下させたりする際に下位のスラットが回動すると、巻回されている他のスラットと連接部が擦れるなどにより音鳴りする場合があった。
【０００７】
このような音鳴りを防ぎ、また水の浸入も防ぐ構造として、例えば特許文献２に記載されている構成がある。
【０００８】
図９は、防水性を有する従来のシャッターの連結部の一例の説明図である。図中、１０１は上位スラット、１０２は下位スラット、１１１は折り返し部、１１２は係合受部、１１３は係合部、１１４〜１１７は第１〜第４傾斜部である。この図９に示した例は、特許文献２に記載されている構成である。
【０００９】
上位スラット１０１の下部はＵ字に内部側に折り返された折り返し部１１１があり、さらに内部へ向けて湾曲した巻状部として形成された係合受部１１２が形成されている。また、下位スラット１０２の上部は、やはり内部側に折り返されて係合部１１３が形成されている。この係合部１１３は、第１傾斜部１１４〜第４傾斜部１１７によりＷ字状に形成されている。そして、係合部１１３が係合受部１１２に内包されるように組み合わされ、上位スラット１０１と下位スラット１０２とが連結されている。
【００１０】
このような従来のシャッターにおいては、閉じた状態では、上位スラット１０１の折り返し部１１１が、下位スラット１０２の第１傾斜部１１４に当接する。上位スラット１０１の折り返し部１１１はＵ字状に形成されていることから、上位スラット１０１と下位スラット１０２とは線状に当接することになる。このような線状の当接だけでは、スラットの連結部における気密性が不十分であった。
【００１１】
特許文献２と類似の構成が、例えば特許文献３や特許文献４にも記載されている。いずれも、上位スラットの下部において係合受部を形成する際に内部へ向けてＵ字状に折り曲げており、シャッターを閉じた状態ではスラット同士が線状にしか当接しない。そのため、ラットの連接部における気密性が不十分であった。
【００１２】
また、上述の特許文献１でも下位スラットの上部に巻状部として設けられた係合部を上位スラットの下部に巻状部として設けられた係合受部が内包する構成となっている。このような構成でも係合受部側はすべて曲面であり、係合部と係合受部の当接は回動の際の摩擦などを考慮すると線状になされるにとどまる。そのため、十分な気密性、防水性、防音性を得ることができない。
【００１３】
なお、折り曲げ加工とは異なるが、成形品では例えば特許文献５に記載されているようにスラットの上部と下部が平面として構成されたものもある。しかし、この場合にも特許文献５に記載されているように、回動しやすくするために遊び隙間を形成しており、水の浸入などを防ぐことはできなかった。そのため、特許文献５ではパッキンなどの別部材を使用して防水性を向上させている。
【先行技術文献】
【特許文献】
【００１４】
【特許文献１】実開平６−０６３７９２号公報
【特許文献２】特許第３７１３５９２号公報
【特許文献３】特許第３９７４８６４号公報
【特許文献４】特許第５２８３２５８号公報
【特許文献５】実開平６−０６３７９２号公報
【発明の概要】
【発明が解決しようとする課題】
【００１５】
本発明は、上述した事情に鑑みてなされたもので、屋外で用いられるシャッター装置であって、シャッターを閉めた状態で気密性、防音性、防水性を向上させたシャッター装置と、そのようなシャッター装置に用いるスラットを提供することを目的とするものである。
【課題を解決するための手段】
【００１６】
本願請求項１に記載の発明は、板状部材を折り曲げ加工してなるシャッター装置に用いるスラットであって、開口幅方向に延在するスラット本体と、該スラット本体の上端部より内側に向かって前記スラット本体との角度が直角以上の角度で折り曲げられ平面が形成された第１の平坦部と、該第１の平坦部に連続して設けられた係合部と、前記スラット本体の下端部より内側に向かって前記スラット本体との角度が直角以下の角度で折り曲げられ平面が形成された第２の平坦部と、該第２の平坦部に連続して設けられ内部で他のスラットの係合部と係合する係合受部を有し、前記係合部は、前記第１の平坦部の終端から上方へ向けて折り曲げられた立ち上がり部と、該立ち上がり部に続き先端が下方へ向けて折り曲げられ上げ下ろしの際に当該先端が上位のスラットの前記係合受部と当接して回動の支点となる回動支持部を有し、前記第１の平坦部と前記第２の平坦部とが略平行になるように形成されていることを特徴とするスラットである。
【００１７】
本願請求項２に記載の発明は、請求項１に記載のスラットを複数連接してなり、下位のスラットの前記係合部が上位のスラットの前記係合受部の内部で回動自在に係合し、上げ下ろしの際に前記回動支持部の先端が上位のスラットの前記係合受部と当接して回動の支点となるとともに、シャッターを閉めた状態で、上位のスラットの前記第２の平坦部と、下位のスラットの前記第１の平坦部とが面接触することを特徴とするシャッター装置である。
【００１８】
本願請求項３に記載の発明は、請求項２に記載の発明におけるスラットの少なくとも左右端部の外側面は略平板状であり、ガイドレール案内面あるいはガイドレールに設けられた気密材と前記平板状部が接触することを特徴とするシャッター装置である。
【発明の効果】
【００２２】
本発明によれば、屋外での使用が可能であって、第１の平坦部の終端から上方へ向けて折り曲げた立ち上がり部により防水性を向上させるとともに、係合部の先端を下方へ向けて折り曲げ、上げ下ろしの際にその先端が上位のスラットの係合受部と当接して回動の支点となるように構成して上げ下ろしの際の音鳴りを防止することができ、さらに、シャッターを閉めた状態で下位のスラットの第１の平坦部と上位のスラットの第２の平坦部とが面で当接し、従来の線状に当接する場合に比べて気密性、防音性、防水性を向上させることができる効果がある。
【００２３】
さらに、スラット本体の少なくとも左右端部の外側面を略平板状とし、ガイドレール案内面あるいはガイドレールに設けられた気密材と平板状部が接触するように構成することにより、スラットとガイドレール案内面あるいは気密材との接触部における気密性、防音性、防水性についても向上させることができ、シャッター装置全体としてのこれらの性能を向上させることができる。
【図面の簡単な説明】
【００２６】
【図１】本発明の実施の一形態におけるスラットの一例の断面図である。
【図２】本発明の実施の一形態におけるスラットの連接部の一例（全閉時）の説明図である。
【図３】本発明の実施の一形態におけるスラットの連接部の一例（昇降時）の説明図である。
【図４】本発明の実施の一形態におけるガイドレール及びスラットの一例の説明図である。
【図５】本発明の実施の一形態におけるガイドレール及びスラットの一例の説明図（気密材使用）である。
【図６】本発明の実施の一形態におけるスラットの別の例の断面及び連接部の一例の説明図である。
【図７】一般的なシャッター装置の一例の説明図である。
【図８】従来のシャッター装置におけるスラットの連接部の一例の説明図である。
【図９】防水性を有する従来のシャッターの連結部の一例の説明図である。
【発明を実施するための形態】
【００２７】
図１は、本発明の実施の一形態におけるスラットの一例の断面図である。図中、１１はスラット、２１はスラット本体、２２は第１の平坦部、２３は係合部、２４は第２の平坦部、２５は係合受部、３１は立ち上がり部、３２は回動支持部である。
【００２８】
スラット１１は、例えば金属板などを折り曲げ加工して形成されるものである。スラット１１は、開口幅方向にスラット本体２１が延在し、そのスラット本体２１の上端部に第１の平坦部２２および係合部２３が、下端部に第２の平坦部２４および係合受部２５が、それぞれ形成されている。
【００２９】
第１の平坦部２２は、スラット本体２１の上端部より内側に向かってスラット本体２１との角度θが直角以上の角度となるように折り曲げられて形成された平面である。この第１の平坦部２２は第２の平坦部２４と略平行になるように形成される。スラット１１を連接したシャッターカーテン２を下ろし、開口部を閉じた状態では、この第１の平坦部２２の平面と、上位のスラットの第２の平坦部２４の平面とが面で当接する。なお、図１に示した例では、スラット本体２１に対して略直角に折り曲げて第１の平坦部２２を形成した例を示している。
【００３０】
係合部２３は、第１の平坦部２２に連続して設けられ、スラット１１を連接する際に上位のスラットの係合受部２５と係合される。この係合部２３は、この例では、第１の平坦部２２の終端から上方へ向けて折り曲げられた立ち上がり部３１と、それに続く回動支持部３２により構成されている。立ち上がり部３１は、第１の平坦部２２と第２の平坦部２４の当接部を水分が通過してしまったとしても、それより内部には浸入させないようにする、水切りの機能を有する。
【００３１】
また回動支持部３２は、シャッターカーテン２の上げ下ろしの際に、その先端が上位のスラット１１に設けられている係合受部２５の底部に当接して係合する。この係合により、連接するスラット１１が上昇あるいは下降することになる。また回動支持部３２は、その先端が係合受部２５に当接した点を支点として、スラット１１を回動自在に支持している。巻き取りシャフトにシャッターカーテン２を巻き取り、あるいは巻き取られているシャッターカーテン２を繰り出す際に、スラット１１は回動するが、その際には回動支持部３２の先端を支点として、上位のスラットと下位のスラットが相対的に回動することになる。
【００３２】
なお、図１に示した例では、回動支持部３２は、立ち上がり部３１の端部から内側へ向かって下降し、その後、外側へ向かって下降する形状に折り曲げ加工されている。立ち上がり部３１から続く回動支持部３２の構造については種々の変形が可能であり、例えば立ち上がり部３１の端部からストレートに下方へ向かう構成や、さらに１以上折り曲げられたり曲面を有する構成、係合受部２５との当接部が折り返された構成など、様々な形状を適用してもよい。もちろん、公知の種々の構造を適用してよいことは言うまでもない。
【００３３】
第２の平坦部２４は、スラット本体２１の下端部より内側に向かってスラット本体２１との角度ψが直角以下の角度となるように折り曲げられて形成された平面である。この第２の平坦部２４は、第１の平坦部２２と略平行になるように形成されている。スラット１１を連接したシャッターカーテン２を下ろし、開口部を閉じた状態では、この第２の平坦部２４の平面と、下位のスラットの第１の平坦部２２の平面とが面で当接する。なお、図１に示した例では、スラット本体２１に対して略直角に折り曲げて第２の平坦部２４を形成した例を示している。
【００３４】
係合受部２５は、第２の平坦部２４に連続して設けられ、スラット１１を連接する際に下位のスラットの係合部２３と内部で係合される。この係合受部２５は、下位のスラットの係合部２３と係合された際に、その係合部２３を内包するように巻き状に形成されている。この例では、下位のスラットの係合部２３と係合された状態で、係合部２３の上部から、係合部２３よりも内側、さらに係合部２３の下部へと延在し、さらにその先で上方へ向く形状となっている。
【００３５】
シャッターカーテン２の上げ下ろしの際には、下位のスラットの係合部２３の回動支持部３２先端が、係合部２３の下部に存在する係合受部２５の面に当接して係合する。この係合により、下位のスラットを係合受部２５でつり下げることになる。また、下位のスラットの回動支持部３２の先端と係合受部２５との当接点が回動の支点となり、スラット１１と下位のスラットの相対的な回動を実現している。
【００３６】
さらに、下位のスラットの回動支持部３２の先端が当接する部分の内側及び外側において、係合受部２５は上方に向く形状となっている。これによって、スラット１１が回動する際の支点が安定するとともに、回動によって係合が外れないようにしている。また、シャッターカーテン２を下ろし切って開口部を閉じた状態では、係合受部２５と下位のスラットの回動支持部３２の先端は離間した状態となるが、その状態でも、スラット１１のズレなどによって連接が外れることはない。
【００３７】
上述のスラットを上下に複数連接して、例えば図７に示したシャッターカーテン２を構成する。図２、図３は、本発明の実施の一形態におけるスラットの連接部の一例の説明図である。図中、４１は上位スラット、４２は下位スラットである。図２における上位スラット４１および下位スラット４２は、ともに図１に示したスラット１１であり、２つのスラットを連接した連接部について示している。また、図２にはシャッターカーテン２を下ろし切って開口部を閉じた状態での連接部を示している。
【００３８】
２つのスラット１１の連接部は、図２に示すように、下位スラット４２の係合部２３を上位スラット４１の係合受部２５が包み込むように組み合わされている。シャッターカーテン２を下ろし切って開口部を閉じた状態では、図２に示したように下位スラット４２の第１の平坦部２２の平面と上位スラット４１の第２の平坦部２４の平面とが当接する。第１の平坦部２２の平面と第２の平坦部２４の平面とは略平行になるように形成されていることから、両者は面で接触し、また各スラットの自重により密接する。
【００３９】
このような第１の平坦部２２の平面と上位スラット４１の第２の平坦部２４の平面との当接によって、従来の線接触に比べて気密性を向上させることができる。また、気密性の向上によって防音性能や防水性能も向上させることができる。
【００４０】
このようなシャッター装置を屋外で使用した場合、外側は風雨にさらされることになるが、第１の平坦部２２の平面と上位スラット４１の第２の平坦部２４の平面との当接によって雨水などの水の浸入も防ぐことができ、防水性を向上させることができる。また、当接部は上述のようにスラット１１の自重により密接するので、洪水などによる内部への浸水についても防ぐことができる。
【００４１】
さらに、この例では第１の平坦部２２に連続して立ち上がり部３１が設けられている。第１の平坦部２２と第２の平坦部２４との当接部を通じて内部に水が染み込んだとしても、その水は少量であるが、その少量の水も立ち上がり部３１を越えて内部に浸入することはない。
【００４２】
なお、上位スラット４１と下位スラット４２との当接位置が外側あるいは内側にずれたとしても、面接触しているため、気密性が確保しやすい。また、下位スラット４２の回動支持部３２と上位スラット４１の係合受部２５とで規制され、あるいは下位スラット４２の立ち上がり部３１によって規制され、第１の平坦部２２と第２の平坦部２４とが接触しなくなることはない。また、下位スラット４２の回動支持部３２の先端が、上位スラット４１の係合受部２５の内側巻状部と上方に向いている先端部との間でしか移動しないことから、スラット同士がずれたとしても連接部が外れることはない。
【００４３】
図３には、シャッターカーテン２の上げ下ろし中における連接部の状態を示している。シャッターカーテン２の上げ下ろしの途中においては、上位スラット４１は吊り下げられて上方へ向かう力が働き、下位スラット４２は自重により下方へ向かう力が働く。これにより、下位スラット４２の第１の平坦部２２と上位スラット４１の第２の平坦部２４とは離間するが、下位スラット４２の係合部２３に設けられている回動支持部３２の先端が、上位スラット４１の係合受部２５の底部の面に当接して係合する。この状態を図３（Ａ）に示している。スラット１１が上下する際には、この状態で連接するスラットが動くことになる。
【００４４】
図３（Ｃ）に示すように、上昇させたシャッターカーテン２を図示しない巻き取りシャフトに巻き取る際、および、巻き取りシャフトに巻き取られた状態から下降させる際には、巻き取りシャフトの回動方向と上下動方向とで連接している各スラットの位置関係が変化するため、連接している各スラットが回動することになる。その際には、上位スラット４１の係合受部２５の底部に当接している、下位スラット４２の回動支持部３２の先端が支点となって回動する。巻き取りシャフトに巻き取られている場合の連接部の状態を図３（Ｂ）に示している。図３（Ａ）と図３（Ｂ）の状態の間で連接している各スラットが回動する。
【００４５】
巻き取りシャフトに巻き取られた状態では、スラット１１は内側に巻き取られているスラットと当接する。その際に当接するのは係合受部２５である。もちろん、さらに外側のスラットの係合受部２５がスラット本体２１に当接することになる。上述のスラットの回動の際には、係合部２３の回動支持部３２の先端が支点となって係合部２３が係合受部２５内で回動するだけであり、巻き取られている内側のスラットとの間で衝突音や擦過音などは軽減できる。また回動自体も、回動支持部３２の先端を支点にして係合受部２５内で回動するだけであり、音はほとんど発生しない。そのため、全体として回動による音鳴りなどの不具合は抑えられる。
【００４６】
図４、図５は、本発明の実施の一形態におけるガイドレール及びスラットの一例の説明図である。図中、５１は案内面、５２は気密材である。図７にも示したように、スラット１１を連接したシャッターカーテン２は、ガイドレール４に沿って昇降させる。上述の説明ではスラット１１間の気密性、防音性、防水性などの向上を図ったが、ガイドレールとスラットの間でもこれらの向上を図ると良い。
【００４７】
図４（Ａ）には上下方向の断面の一例を、図４（Ｂ）には水平方向の断面の一例を、それぞれ示している。スラット１１を連接したシャッターカーテン２は、ガイドレール４の案内面５１に沿って昇降する。少なくともシャッターカーテン２を下ろした状態では、スラット本体２１の平板状部の外側面と、ガイドレール４の外側の案内面５１とを接触させるとよい。これにより、外側の空間と内側の空間とを遮断し、気密性や防音性を向上させることができる。
【００４８】
図５に示した例では、スラット１１の外側面に当接する気密材５２をガイドレール４に上下方向に設けた例を示している。シャッターカーテン２を下ろした状態で、スラット本体２１の外側面と、ガイドレール４に設けた気密材５２とが接触している。これにより、外側の空間と内側の空間とを遮断し、気密性や防音性を向上させることができる。気密材５２は、例えば弾性材などによって形成するとよい。
【００４９】
図５（Ａ）に示している気密材５２の例は、ガイドレール４にはめ込む基部と、その基部から延在する突起部を有している。この気密材５２を、ガイドレール４の外側の案内面５１の裏側にはめ込み、突起部がスラット１１の外側面に当接するように構成している。
【００５０】
また図５（Ｂ）に示した例では、図５（Ａ）に示した気密材５２と同様のものを用い、ガイドレール４の外側の案内面５１に設けた溝部に気密材５２をはめ込み、突起部がスラット１１の外側面に当接するように構成している。洪水などによる浸水に対しても、水圧により突起部がスラット１１に圧接され、防水性能を発揮する。
【００５１】
さらに図５（Ｃ）に示した例では、ガイドレール４の外側の案内面に突起状の気密材５２を設けた例を示している。この突起状の気密材５２にシャッターカーテン２を当接させればよい。
【００５２】
もちろん、気密材５２としては上述の例に限られるものではなく、スラット１１と当接する構造であれば任意の形状であってよい。また、気密材５２のガイドレール４への取り付けも、種々の形態で行えばよい。
【００５３】
なお、上述のようにスラット本体２１の外側面とガイドレール４の案内面５１または気密材５２とを接触させることから、スラット本体２１の外側面のうち、少なくとも外側の案内面５１または気密材５２と当接する部分については、平板状であることが望ましい。
【００５４】
本発明のスラットにおける係合部２３及び係合受部２５の構成は、図１に示した例に限られるものではない。例えば、特許文献２や特許文献３に記載されている係合部及び係合受部の構成を、第１の平坦部２２及び第２の平坦部２４に続けて設けてもよい。このように構成すれば、特許文献２や特許文献３に記載されているスラットを用いる場合に比べて、気密性や防音性、防水性などの性能を向上させることができる。もちろん、このほかにも種々の公知の係合部及び係合受部の構成を適用してよいことは言うまでもない。
【００５５】
図６は、本発明の実施の一形態におけるスラットの別の例の断面及び連接部の一例の説明図である。上述の各例においては、第１の平坦部２２および第２の平坦部２４を、スラット本体２１との角度が略直角となるように折り曲げて形成した場合の例を示した。本発明では、これに限らず、第１の平坦部２２をスラット本体２１との角度が直角よりも大きい角度で折り曲げて形成し、また第２の平坦部２４をスラット本体２１との角度が直角よりも小さい角度で折り曲げて形成してもよい。この場合でも、第１の平坦部２２と第２の平坦部は平行となるように形成する。
【００５６】
図６（Ａ）に示す例では、スラット本体２１の上端部より内側に向かってスラット本体２１との角度θが直角より大きい角度となるように折り曲げて平面を形成し、第１の平坦部２２としている。この第１の平坦部２２に連続して係合部２３が設けられている。また、スラット本体２１の下端部より内側に向かってスラット本体２１との角度ψが直角よりも小さい角度となるように折り曲げて平面を形成し、第２の平坦部２４としている。この第２の平坦部２４に連続して係合受部２５が設けられている。第１の平坦部２２と第２の平坦部２４とは、略平行になるように形成する。
【００５７】
なお、この例における係合部２３は、第１の平坦部２２の終端から下方内部側へ折り曲げられた後、下方外部側へ折り曲げられて回動支持部３２が設けられている。また、係合受部２５は下位のスラットの係合部２３と係合された際に、係合部２３を内包するように巻き状に形成されている。この例では、下位のスラットの係合部２３と係合された状態で、係合部２３の上部から、係合部２３よりも内側、さらに係合部２３の下部へと延在し、さらにその先で上方へ向く形状となっている。
【００５８】
このようなスラット１１を上下に複数連接して、例えば図７に示したシャッターカーテン２を構成する。図６（Ｂ）において、上位スラット４１及び下位スラット４２は、ともに図６（Ａ）に示したスラット１１である。上位スラット４１の係合受部２５と下位スラット４２の係合部２３とを係合させ、２つのスラットを連接させている。
【００５９】
図６（Ｂ）にはシャッターカーテン２を下ろし切って開口部を閉じた状態での連接部を示している。第１の平坦部２２の平面と第２の平坦部２４の平面とは略平行になるように形成されていることから、それぞれの平面が斜面であっても両者は面で当接することになる。これにより、従来の線での接触に比べて気密性を向上させることができ、また、防音性や防水性なども向上する。さらに、第１の平坦部２２と第２の平坦部２４の平面は内部に向かって高くなるように形成される。そのため、上述した第１の平坦部２２および第２の平坦部２４を、スラット本体２１と略直角となるように折り曲げて形成した場合に比べて、第１の平坦部２２の平面と第２の平坦部２４の平面の当接部での防水性が向上している。
【００６０】
なお、上位スラット４１と下位スラット４２との当接位置は、第１の平坦部２２及び第２の平坦部２４が内部に向かって高くなっていることにより、上位スラット４１が外側にずれやすい構造となっている。そのため、ガイドレールの外側の案内面もしくは気密材と密接しやすく、気密性及び防音性等を確保しやすい構造といえる。
【００６１】
シャッターカーテン２の上げ下ろしの際には、下位スラット４２の係合部２３に設けられている回動支持部３２の先端が、上位スラット４１の係合受部２５の底部の面に当接して係合する。この状態でシャッターカーテン２を構成する各スラットは上昇または下降する。
【００６２】
上昇させたシャッターカーテン２を巻き取りシャフトに巻き取る際、および、巻き取りシャフトに巻き取られた状態から下降させる際には、連接しているスラットが相対的に回動する。その際には、上位スラット４１の係合受部２５の底部に当接している、下位スラット４２の回動支持部３２の先端が支点となって、上位スラット４１または下位スラット４２が回動する。回動支持部３２の先端を支点とする回動であり、係合受部２５内での回動となるため、回動による音はほとんど発生せず、全体として音鳴りなどの不具合は抑えられる。
【００６３】
なお、図６に示したように第１の平坦部２２及び第２の平坦部２４をスラット本体２１に対して直角以外の角度で折り曲げて形成した場合も、係合部２３と係合受部２５の構造は任意であり、図示の構造に限られるものではない。例えば、図１に示した立ち上がり部３１を有する構造のものであってもよいし、そのほかの公知の係合部及び係合受部の構造であってもよい。
【符号の説明】
【００６４】
１…シャッター装置、２…シャッターカーテン、３…スラット、４…ガイドレール、５…巻き取り部、１１…スラット、２１…スラット本体、２２…第１の平坦部、２３…係合部、２４…第２の平坦部、２５…係合受部、３１…立ち上がり部、３２…回動支持部、４１…上位スラット、４２…下位スラット、５１…案内面、５２…気密材、１０１…上位スラット、１０２…下位スラット、１１１…折り返し部、１１２…係合受部、１１３…係合部、１１４〜１１７…第１〜第４傾斜部。
【図１】
0006725260.tif 000002
【図２】
0006725260.tif 000003
【図３】
0006725260.tif 000004
【図４】
0006725260.tif 000005
【図５】
0006725260.tif 000006
【図６】
0006725260.tif 000007
【図７】
0006725260.tif 000008
【図８】
0006725260.tif 000009
【図９】
0006725260.tif 000010